(57)【要約】      （修正有）【課題】優れた放熱効率を有する電子デバイスを提供する。【解決手段】電子デバイス１００は、筐体１１１と、発熱体１１２と、放熱板１２０と、遠心送風機１３０とを含む。筐体は、前側１１１ａ、後側、外周側、および複数の通風口１１１ｄを有する。外周側は、前側と後側の間にあり、且つこれらの通風口が外周側に分配される。発熱体と放熱板は、筐体内に設置され、且つ放熱板は、発熱体を覆う。発熱体から生じた熱エネルギーは、放熱板に伝導される。遠心送風機は、筐体内に設置され、且つ発熱体と放熱板の同一側にある。遠心送風機は、全方向送風に適しており、且つ遠心送風機から生じた気流は、熱エネルギーを複数の通風口から筐体の外に流出させる。【選択図】図３
0003234050.tif 000002
【実用新案登録請求の範囲】
【請求項１】
前側、後側、外周側、および複数の通風口を有し、前記外周側が、前記前側と前記後側の間にあり、且つ前記通風口が、前記外周側に分配された筐体と、
前記筐体内に設置され、熱エネルギーを発生する発熱体と、
前記筐体内に設置され、前記発熱体を覆い、前記発熱体から生じた前記熱エネルギーが伝導される放熱板と、
前記筐体内に設置され、且つ前記発熱体と前記放熱板の同一側にあり、全方向送風に適した遠心送風機と、
を含み、前記遠心送風機から生じた気流が、前記熱エネルギーを前記通風口から前記筐体の外に流出させる電子デバイス。
【請求項２】
回路板をさらに含み、前記発熱体が、前記回路板の上に設置され、且つ前記発熱体が、前記放熱板と前記回路板の間に位置する請求項１に記載の電子デバイス。
【請求項３】
前記放熱板が、第１凹部を有し、前記回路板が、第２凹部を有し、且つ前記第１凹部と前記第２凹部が重なり合い、前記遠心送風機が、前記第１凹部と前記第２凹部内に位置する請求項２に記載の電子デバイス。
【請求項４】
前記通風口の数が、４つであり、且つ前記外周側に均一に分配された請求項１〜３のいずれか一項に記載の電子デバイス。
【請求項５】
前記通風口が、前記前側に近い前記外周側に分配された請求項１〜４のいずれか一項に記載の電子デバイス。
【請求項６】
前記筐体が、吸込み口を有し、且つ前記吸込み口が、前記後側にあり、前記吸込み口が、前記遠心送風機の通風口に対応して設置された請求項１〜５のいずれか一項に記載の電子デバイス。
【請求項７】
前記遠心送風機が、回転軸線、外周面、および複数の吹出し口を有し、前記外周面が、前記回転軸線を取り囲み、前記外周面が、前記外周側に面し、且つ前記吹出し口が、前記外周面に分配され、前記通風口が、前記吹出し口に対応して設置された請求項１〜６のいずれか一項に記載の電子デバイス。
【請求項８】
前記筐体の前記外周側に接続されたヘッドバンドをさらに含む請求項１〜７のいずれか一項に記載の電子デバイス。
【請求項９】
ディスプレイおよびレンズをさらに含み、前記ディスプレイと前記レンズが、前記筐体内に設置され、且つ前記レンズが、前記ディスプレイが出射した映像ビームの経路上にある請求項１〜８のいずれか一項に記載の電子デバイス。
【考案の詳細な説明】
【技術分野】
【０００１】
本考案は、電子デバイスに関するものであり、特に、仮想現実に応用する電子デバイスに関するものである。
【背景技術】
【０００２】
いわゆる仮想現実（virtual reality）とは、コンピュータシミュレーションを利用して三次元の仮想環境を作り出し、現実に近い臨場感をユーザに与えるものである。一般的に、ユーザは、三次元仮装環境の映像画面を見るためのヘッドマウントディスプレイを装着しなければならない。ヘッドマウントディスプレイは、大きくディスプレイ本体とヘッドバンドに分けることができ、ディスプレイ主体は、三次元仮装環境の映像画面を提供するために使用される。
【０００３】
さらに説明すると、ディスプレイ本体の内部には、中央処理装置（ＣＰＵ）、グラフィックスプロセシングユニット（ＧＰＵ）、主動素子、および受動素子が設置され、ヘッドマウントディスプレイが作動している時、中央処理装置、グラフィックスプロセシングユニット、主動素子、および受動素子は、熱を発生する。
【０００４】
ディスプレイ本体の内部の熱を迅速に外へ排出するため、よく使用される方法は、ほとんどがディスプレイ本体の内部に送風機とヒートパイプを配置する方法である。しかしながら、放熱メカニズムは、ヒートパイプの延伸経路、ヒートパイプの配置数、および送風機の風路を考慮しなければならないため、その結果、製造コストが高く、素子の配置空間が制限され、放熱効率が悪く、放熱経路が１つしかなく、ディスプレイ主体の１つのブロックだけが熱くなり過ぎるといった状況が発生する。
【考案の概要】
【考案が解決しようとする課題】
【０００５】
本考案は、優れた放熱効率を有する電子デバイスを提供する。
【課題を解決するための手段】
【０００６】
本考案の電子デバイスは、筐体と、発熱体と、放熱板と、遠心送風機とを含む。筐体は、前側、後側、外周側、および複数の通風口を有する。外周側は、前側と後側の間にあり、且つこれらの通風口が外周側に分配される。発熱体と放熱板は、筐体内に設置され、且つ放熱板は、発熱体を覆う。発熱体から生じた熱エネルギーは、放熱板に伝導される。遠心送風機は、筐体内に設置され、且つ発熱体と放熱板の同一側にある。遠心送風機は、全方向送風に適しており、且つ遠心送風機から生じた気流は、熱エネルギーを上記複数の通風口から筐体の外に流出させる。
【考案の効果】
【０００７】
以上のように、本考案の電子デバイスは、遠心送風機を採用し、且つ遠心送風機は、全方向送風（または３６０度送風ともいう）に適している。また、複数の通風口がディスプレイ本体の筐体の外周側に分配されるため、遠心送風機から生じた気流は、上記複数の通風口から筐体の外に流出することができる。つまり、筐体は、発熱体から生じた熱エネルギーを筐体の外へ迅速に排出するための複数の風路を設置しているため、本考案の電子デバイスは、優れた放熱効率を有する。
【０００８】
本考案の上記の特徴および利点をより分かり易くするため、以下に実施例を挙げ、添付の図面を併せて詳しく説明する。
【図面の簡単な説明】
【０００９】
【図１】図１は、本考案の１つの実施形態に係る電子デバイスの１つの角度から見た概略図である。
【図２】図２は、本考案の１つの実施形態に係る電子デバイスの別の角度から見た概略図である。
【図３】図３は、図１の電子デバイスの正面概略図である。
【図４】図４は、図３の電子デバイスの線Ｉ−Ｉの断面概略図である。
【考案を実施するための形態】
【００１０】
図１および図２は、本考案の１つの実施形態に係る電子デバイスの２つの異なる角度から見た概略図である。図３は、図１の電子デバイスの正面概略図である。図１〜図３を参照すると、本実施形態において、電子デバイス１００は、筐体１１１と、発熱体１１２と、放熱板１２０と、遠心送風機１３０とを含む。且つ、発熱体１１２、放熱板１２０、および遠心送風機１３０は、筐体１１１内に設置される。さらに説明すると、筐体１１１は、前側１１１ａ、前側１１１ａと向かい合う後側１１１ｂ、前側１１１ａと後側１１１ｂの間にある外周側１１１ｃ、および外周側１１１ｃに分配された複数の通風口１１１ｄを有する。外周側１１１ｃは、前側１１１ａと後側１１１ｂに接続され、且つ運転時の遠心送風機１３０は、筐体１１１内の高温の気体（すなわち、発熱体１１２から生じた熱エネルギー）を前記複数の通風口１１１ｄから排出するよう駆動するのに適している。いくつかの実施形態において、複数の通風口１１１ｄは、前側１１１ａに近い外周側１１１ｃに分配されるため、熱エネルギーを筐体１１１に放出させる時に、後側１１１ｂに近接しているユーザに影響を与えない。
【００１１】
電子デバイス１００は、ヘッドマウントディスプレイであってもよく、後側１１１ｂが受像側である。ユーザが電子デバイス１００を装着した時、ユーザの顔部分が後側１１１ｂに張り付く。また、外周側１１１ｃは、上周側１１１ｅ、上周側１１１ｅと向かい合う下周側１１１ｆ、左周側１１１ｇ、および左周側１１１ｇと向かい合う右周側１１１ｈを含み、左周側１１１ｇと右周側１１１ｈは、上周側１１１ｅと下周側１１１ｆの間にあり、且つ左周側１１１ｇと右周側１１１ｈは、いずれも上周側１１１ｅと下周側１１１ｆに接続される。詳しく説明すると、上周側１１１ｅ、下周側１１１ｆ、左周側１１１ｇ、および右周側１１１ｈは、それぞれ少なくとも１つの通風口１１１ｄを設置する。つまり、上述した少なくとも４つの通風口１１１ｄは、外周側１１１ｃに均一に分配され、且つ筐体１１１は、異なる方位に位置する少なくとも４つの風路を設置する。
【００１２】
放熱板１２０は、熱源（つまり、発熱体１１２）から生じた熱を伝導するとともに、筐体１１１内の気体と熱交換を行い、筐体１１１内の気体を高温の気体に変換するために使用される。さらに説明すると、遠心送風機１３０は、筐体１１１外の低温の気体を筐体１１１内に引き入れ、筐体１１１内の高温の気体を筐体１１１の外に排出するために使用される。さらに説明すると、遠心送風機１３０は、全方向送風（または３６０度送風ともいう）に適しており、且つ遠心送風機１３０から生じた気流は、上記複数の通風口１１１ｄから筐体１１１の外に流出して、筐体１１１内の高温の気体を筐体１１１の外に排出することができる。
【００１３】
本実施形態において、筐体１１１は、異なる方位に位置する少なくとも４つの風路を設置し、遠心送風機１３０から生じた気流は、上周側１１１ｅの通風口１１１ｄ、下周側１１１ｆの通風口１１１ｄ、左周側１１１ｇの通風口１１１ｄ、および右周側１１１ｈの通風口１１１ｄから筐体１１１の外に流出して、筐体１１１内の高温の気体を筐体１１１の外に排出することができるため、電子デバイス１００は、優れた放熱効率を有する。
【００１４】
図３を参照すると、遠心送風機１３０は、回転軸線１３２、外周面１３３、および複数の吹出し口１３４を有し、且つ外周面１３３は、回転軸線１３２を取り囲む。また、外周面１３３は、外周側１１１ｃに面し、上述した複数の吹出し口１３４は、外周面１３３に分配され、各通風口１１１ｄが少なくとも１つの吹出し口１３４に対応して設置される。つまり、遠心送風機１３０は、異なる方位に位置する少なくとも４つの風路を設置する。詳しく説明すると、遠心送風機１３０が運転している時、ファンブレードから生じた気流が上述した複数の吹出し口１３４を介して外に流動し、上述した複数の通風口１１１ｄに流れる。また、上述した複数の吹出し口１３４の一部から流動した気流が放熱板１２０を流れるため、熱交換効率を上げることができる。
【００１５】
図４は、図３の電子デバイスの線Ｉ−Ｉの断面概略図である。図３および図４を参照すると、本実施形態において、発熱体１１２は、筐体１１１内の熱源であり、例えば、中央処理装置（ＣＰＵ）、グラフィックスプロセシングユニット（ＧＰＵ）、主動素子、または受動素子である。また、放熱板１２０は、金属、合金、またはその他の高熱伝導材料で製造され、絶縁熱伝導性接着剤（例えば、絶縁熱伝導性パッド、絶縁熱伝導性接着剤、または放熱グリス）で発熱体１１２に接着または接触固定することにより、熱を発熱体１１２につないで、発熱体１１２から生じた熱を伝導することができる。また、放熱板１２０は、放熱フィンを設置することにより、熱交換面積を増やすことができる。
【００１６】
電子デバイス１００は、さらに、回路板１１３を含む。発熱体１１２は、回路板１１３の上に設置され、且つ発熱体１１２は、放熱板１２０と回路板１１３の間に位置する。放熱板１２０は、発熱体１１２を覆う。遠心送風機１３０は、発熱体１１２と放熱板１２０の同一側に位置し、且つ放熱板１２０の面積は、回路板１１３の面積よりもわずかに小さい。さらに説明すると、放熱板１２０は、回路板１１３に重なり合う。放熱板１２０は、第１凹部１２１を有し、且つ回路板１１３は、第１凹部１２１と重なる第２凹部１１３ａを有する。遠心送風機１３０の少なくとも一部は、第１凹部１２１と第２凹部１１３ａ内に位置し、筐体１１１内の素子の配置空間を最大化または最適化する。また、電子デバイス１００は、ヒートパイプを配置しないため、製造コストを下げ、筐体１１１内の素子の配置空間を最大化または最適化することができる。
【００１７】
その他の実施形態において、放熱板１２０の面積は、回路板１１３の面積よりも大きくてもよく、放熱板１２０の面積の大きさは、システムの大きさによって決まるだけでなく、放熱板１２０においてシステムから生じた熱が十分に引き出されたかどうかによっても決まるため、本考案では限定しない。
【００１８】
図１および図２を参照すると、本実施形態において、筐体１１１は、吸込み口１１１ｉを有し、且つ吸込み口１１１ｉは、後側１１１ｂにある。遠心送風機１３０が運転している時、筐体１１１外の低温の気体は、吸込み口１１１ｉを介して筐体１１１内に流入することができる。また、遠心送風機１３０の吸気口は、吸込み口１１１ｉに対応して設置されるため、遠心送風機１３０の吸気口は、後側１１１ｂに向く。
【００１９】
その他の実施形態において、吸込み口１１１ｉは、前側１１１ａにある。また、遠心送風機１３０の吸気口は、吸込み口１１１ｉに対応して設置されるため、遠心送風機１３０の吸気口は、前側１１１ａに向く。
【００２０】
図１および図２を参照すると、本実施形態において、電子デバイス１００は、さらに、ヘッドバンド１４０を含み、ヘッドバンド１４０は、筐体１１１の外周側１１１ｃに接続され、且つ左周側１１１ｇと右周側１１１ｈに接続されるため、ユーザが電子デバイス１００を装着するのに便利である。
【００２１】
図４を参照すると、電子デバイス１００は、さらに、ディスプレイ１５０およびレンズ１６０を含む。ディスプレイ１５０とレンズ１６０は、筐体１１１内に設置され、且つレンズ１６０は、ディスプレイ１５０が出射した映像ビームの経路上にあり、映像ビームをユーザの目に投射する。筐体１１１の後側１１１ｂは、受像側であるため、レンズ１６０は、ディスプレイ１５０よりも後側１１１ｂに近い。
【００２２】
以上のように、本考案の電子デバイスは、遠心送風機を採用し、且つ遠心送風機は、全方向送風（または３６０度送風ともいう）に適している。また、複数の通風口がディスプレイ本体の筐体の外周側に分配されるため、遠心送風機から生じた気流は、上記複数の通風口から筐体の外に流出することができる。つまり、筐体は、発熱体から生じた熱を筐体の外へ迅速に排出するための複数の風路を設置しているため、本考案の電子デバイスは、優れた放熱効率を有する。
【００２３】
この他、筐体は、複数の風路を設置しているため、筐体の１つのブロックだけが熱くなり過ぎる状況を回避することができる。また、本考案の電子デバイスは、ヒートパイプを配置しないため、製造コストを下げ、筐体内の素子の配置空間を最大化または最適化することができる。
【００２４】
以上のように、この考案を実施形態により開示したが、この考案を限定するために用いるものではなく、当業者であれば、この考案の精神および範囲から逸脱しなければ、いくつかの変更ならびに修正が可能であるため、この考案の保護範囲は、添付の特許請求の範囲を基準として定めなければならない。
【符号の説明】
【００２５】
１００  電子デバイス
１１１  筐体
１１１ａ  前側
１１１ｂ  後側
１１１ｃ  外周側
１１１ｄ  通風口
１１１ｅ  上周側
１１１ｆ  下周側
１１１ｇ  左周側
１１１ｈ  右周側
１１１ｉ  吸込み口
１１２  発熱体
１１３  回路板
１１３ａ  第２凹部
１２０  放熱板
１２１  第１凹部
１３０  遠心送風機
１３２  回転軸線
１３３  外周面
１３４  吹出し口
１４０  ヘッドバンド
１５０  ディスプレイ
１６０  レンズ
Ｉ−Ｉ  断面線
【図１】
0003234050.tif 000003
【図２】
0003234050.tif 000004
【図３】
0003234050.tif 000005
【図４】
0003234050.tif 000006